(57)【要約】【課題】  クリーニングタッグの止着具として、クリーニングタッグに対する止着力が大きく、顧客識別のための高い信頼性が得られ、被クリーニング品の布地の痛みを確実に防止でき、止着の操作性に優れたものを提供する。【解決手段】  合成樹脂成形物からなる止着具Ｓであって、略円板状の一対の挟持片１，２が薄肉で細い曲げ部３を介して一体に連設され、一方の挟持片１の中央部に先端を爪部とした係止突起４が突設され、他方の挟持片の中央部に係止孔５が形成され、曲げ部３での折り曲げによって対向させた両挟持片１，２間にクリーニングタッグＴを挟み、一方の挟持片１の係止突起４をクリーニングタッグＴに貫通させて他方の挟持片２の係止孔５に挿嵌係止させるように構成されている。【選択図】                図４
2006230798.tif 000002
【特許請求の範囲】
【請求項１】
クリーニングする衣類等の被クリーニング品に識別用のクリーニングタッグを止着するための合成樹脂成形物からなる止着具であって、略円板状の一対の挟持片が薄肉で細い曲げ部を介して一体に連設され、一方の挟持片の中央部に先端を爪部とした係止突起が突設されると共に、他方の挟持片の中央部に係止孔が形成され、
前記曲げ部での折り曲げによって対向させた両挟持片間にクリーニングタッグを挟み、その一方の挟持片の前記係止突起を該クリーニングタッグに貫通させて他方の挟持片の係止孔に挿嵌係止させるように構成されてなるクリーニングタッグの止着具。
【請求項２】
前記係止孔は自然状態では前記係止突起の先端爪部が通過不能な大きさであり、該係止孔の周囲が薄肉に形成されると共に、この薄肉部に係止孔に続く複数本の半径方向の切り込みを備え、これら切り込みの開きによって前記係止突起の先端爪部が当該係止孔に強制挿嵌されるように構成されてなる請求項１記載のクリーニングタッグの止着具。
【請求項３】
前記係止突起は両側方へ張出する先端爪部を備え、他方の挟持片における係止孔の周囲の薄肉部に、該先端爪部の張出方向に対して略直交する径方向に沿う２本の切り込みを有してなる請求項２記載のクリーニングタッグの止着具。
【請求項４】
前記の薄肉部に２本の切り込みを有する挟持片の外面側に、該切り込みによって区画された薄肉部の各円弧部を外側から囲む円弧状のリブが設けられてなる請求項３記載のクリーニングタッグの止着具。
【請求項５】
前記係止孔を有する挟持片の外面側に、周縁部に沿う円環状のリブが設けられてなる請求項１〜４のいずれかに記載のクリーニングタッグの止着具。
【請求項６】
前記両挟持片の径がクリーニングタッグ幅の０．７〜１．５倍である請求項１〜５のいずれかに記載のクリーニングタッグの止着具。
【発明の詳細な説明】
【技術分野】
【０００１】
本発明は、クリーニング業において、衣類等のクリーニング品に預かり主を識別するクリーニングタッグを止着するための止着具に関する。
【背景技術】
【０００２】
クリーニング業においては、多勢の顧客から預かった多数の被クリーニング品を取り扱うことから、預かり主の混同や不明を避ける上で、各被クリーニング品について受付け時点よりクリーニング後の品渡しに至るまで一貫して預かり主を識別できるようにする必要がある。このため、従来より一般的に、図５（イ）（ロ）に示すように、店名、タッグ番号及びこれらを機械読み取りするバーコード等の識別表示Ａを印刷した帯状の耐洗紙からなるクリーニングタッグＴを被クリーニング品Ｃのボタン穴、襟吊り、ベルト通し等の被止着穴Ｈに通した後、二つ折りにして一部を重ね合わせ、この重ね合わせ部Ｔａをホッチキスの針Ｋにより止着して、そのクリーニングタッグＴが被クリーニング品Ｃから離脱しないようにしている。
【０００３】
しかしながら、このようにホッチキスでクリーニングタッグＴを止着した場合、クリーニング中に布地がホッチキスの針Ｋと接触して傷み易く、とりわけ針Ｋが不充分な留め具合になることが多々あり、その場合に該針Ｋの浮き上がった両端が布地に引っ掛かり、布の糸がほつれて糸引きと呼ばれる現象を生じ易く、またこの針Ｋには硬い鋼材を用いることから、その錆でクリーニング品が汚れることがあると共に、ホッチキスで止着する際にかなり強い力を要して作業者が腱鞘炎を起こすという問題があった。
【０００４】
そこで、本出願人に関連する先行技術として、クリーニングタッグを被クリーニング品に止着する合成樹脂製の止着具であって、雄ボタン片と雌ボタン片とがヒンジ部を介して一体形成され、該ヒンジ部で折曲した両ボタン片の挟持部間にクリーニングタッグを挟んだ状態で、両ボタン片を両端部の係合によって係止するようにしたものが提案されている（特許文献１）。
【特許文献１】特開平８−３８８００号公報
【０００５】
しかしながら、上記提案に係る止着具でクリーニングタッグを止着した場合、激しいクリーニング中に、両ボタン片の間からクリーニングタッグがすり抜けたり、両ボタン片の係合が外れたりして、クリーニングタッグが被クリーニング品から離脱することが往々にしてあり、顧客識別のための充分な信頼性が得られず、またホッチキスの針の場合よりも緩和されるが、やはり被クリーニング品の布地の痛みを確実には防止できなかった。
【発明の開示】
【発明が解決しようとする課題】
【０００６】
本発明は、上述の情況に鑑み、クリーニングタッグの止着具として、クリーニングタッグに対する止着力が大きく、顧客識別のための高い信頼性が得られ、しかも被クリーニング品の布地の痛みを確実に防止できると共に、止着の操作性にも優れたものを提供することを目的としている。
【課題を解決するための手段】
【０００７】
上記目的を達成するために、本発明の請求項１に係るクリーニングタッグの止着具は、図面の参照符号を付して示せば、クリーニングする衣類等の被クリーニング品Ｃに識別用のクリーニングタッグＴを止着するための合成樹脂成形物からなる止着具Ｓであって、略円板状の一対の挟持片１，２が薄肉で細い曲げ部３を介して一体に連設され、一方の挟持片１の中央部に先端を爪部とした係止突起４が突設されると共に、他方の挟持片の中央部に係止孔５が形成され、曲げ部３での折り曲げによって対向させた両挟持片１，２間にクリーニングタッグＴを挟み、その一方の挟持片１の係止突起４を該クリーニングタッグＴに貫通させて他方の挟持片２の係止孔５に挿嵌係止させるように構成されてなるものとしている。
【０００８】
請求項２の発明は、上記請求項１のクリーニングタッグＴの止着具Ｓにおいて、係止孔５は自然状態では係止突起４の先端爪部４ａが通過不能な大きさであり、該係止孔５の周囲が薄肉に形成されると共に、この薄肉部２１に係止孔５に続く複数本の半径方向の切り込み６を備え、これら切り込み６の開きによって係止突起４の先端爪部４ａが当該係止孔５に強制挿嵌されるように構成されている。
【０００９】
請求項３の発明は、上記請求項２のクリーニングタッグＴの止着具Ｓにおいて、係止突起４は両側方へ張出する先端爪部４ａを備え、他方の挟持片２における係止孔５の周囲の薄肉部２１に、該先端爪部４ａの張出方向に対して略直交する径方向に沿う２本の切り込み６を有してなる構成としている。
【００１０】
請求項４の発明は、上記請求項１〜３のいずれかのクリーニングタッグＴの止着具Ｓにおいて、薄肉部２１に２本の切り込み６を有する挟持片２の外面側に、該切り込み６によって区画された薄肉部２１の各円弧部を外側から囲む円弧状のリブ２２が設けられてなる構成としている。
【００１１】
請求項５の発明は、上記請求項１〜４のいずれかのクリーニングタッグＴの止着具Ｓにおいて、係止孔５を有する挟持片２の外面側に、周縁部に沿う円環状のリブ２３が設けられてなる構成としている。
【００１２】
請求項６の発明は、上記請求項１〜５のいずれかのクリーニングタッグＴの止着具Ｓにおいて、前記両挟持片１，２の径がクリーニングタッグＴ幅の０．７〜１．５倍である構成としている。
【発明の効果】
【００１３】
請求項１の発明に係るクリーニングタッグの止着具によれば、対向させた両挟持片間にクリーニングタッグを挟むと共に、その一方の挟持片の係止突起を該クリーニングタッグに貫通させて他方の挟持片の係止孔に挿嵌係止させることから、激しいクリーニング中でも両挟持片間からクリーニングタッグがすり抜ける懸念は皆無であり、またクリーニングタッグに対して略円板状をなす両挟持片が互いの中央部で係着する形になり、クリーニング液中における流体抵抗が小さいことも相俟って、両挟持片が開いて係止突起と係止孔との係合が外れる恐れもなく、もって止着具の抜落によってクリーニングタッグが被クリーニング品から外れることはないから、当該クリーニングタッグによる顧客の識別に高い信頼性が得られる。しかして、この止着具では、中間の曲げ部で折り曲げた両挟持片間にクリーニングタッグを挟み、両挟持片を圧着するだけで、係止突起が該クリーニングタッグを突き破って係止孔に挿嵌係止されるから、該クリーニングタッグの止着操作を極めて簡単に行える上、両挟持片が略円板状をなすから、クリーニング中に両挟持片が布地に引っ掛かることがなく、また布地と接触しても殆ど傷まない。また、この止着具は、全体が合成樹脂の一体成形物であるから安価に量産できると共に、両挟持片を繋ぐ部分が薄肉で細い曲げ部になっているから、所謂ヒンジとして折り付ける形態のように折り付け部分が亀裂破断する恐れがない。
【００１４】
請求項２の発明によれば、係止孔は自然状態では係止突起の先端爪部が通過不能な大きさであるが、該係止孔の周囲に形成した薄肉部に係止孔に続く複数本の半径方向の切り込みを設けているから、該切り込みの開きによって該係止突起を係止孔へ容易に挿嵌でき、しかも該係止突起の係止孔からの離脱がより生じにくくなる。
【００１５】
請求項３の発明によれば、係止突起の先端爪部が両側方へ張出する形であるのに対し、係止孔の周囲の薄肉部に設けた２本の切り込みが、該先端爪部の張出方向に対して略直交する径方向に沿うことから、該先端爪部が係止孔からより離脱しにくくなる。また、請求項４の発明によれば、この径方向に沿う２本の切り込みによって区画された両側部分が各々円弧状のリブで補強されることから、これら両側部分が係止突起の係止孔に対する挿嵌に際して各々一体的に撓み変形し、切り込み以外の領域で該薄肉部が破裂して係止力低下を生じる懸念がない。
【００１６】
請求項５の発明によれば、係止孔を有する挟持片が外面側周縁部に沿う円環状のリブを有するから、当該挟持片の強度が増すと共に、この円環状のリブが係止孔に係嵌して突出する係止突起に対する被クリーニング品の接触を阻むように作用し、もって該係止突起への布地等の引っ掛かりが防止される。
【００１７】
請求項６の発明によれば、両挟持片の径がクリーニングタッグ幅に近い特定範囲にあるから、被クリーニング品の布地に対し、止着具が引っ掛かる可能性が殆どないばかりか、接触機会も著しく少なくなり、もって止着具に起因した布地の痛みがより確実に防止されると共に、止着具のクリーニングタッグからの抜落も完全に防止される。
【発明を実施するための最良の形態】
【００１８】
以下、本発明に係るクリーニングタッグの止着具の一実施形態について、図面を参照して具体的に説明する。図１（イ）（ロ）は止着具Ｓの表裏両側から見た各々の平面図、図２（イ）（ロ）は図１（イ）のＡ−Ａ線及びＢ−Ｂ線における各々断面矢視図である。なお、以下において、止着具Ｓの内面及び外面は、クリーニングタッグに対する止着状態での内外を基準とする。
【００１９】
図１及び図２に示すように、このクリーニングタッグの止着具Ｓは、略円板状をなす一対の挟持片１，２が薄肉で細い曲げ部３を介して連なった形の一体の合成樹脂成形物からなり、一方の挟持片１の内面側中央に係止突起４が突設されると共に、他方の挟持片２の中央に係止孔５が形成されている。
【００２０】
挟持片１の係止突起４は両側へ鉤状に張出する先端爪部４ａを有しており、この係止突起４の根元部両側には、樹脂成形時に用いる成形型において該先端爪部４ａの出っ張りを形成するピン部の抜き孔１１が形成されている。
【００２１】
また、挟持片２は、全体として花状の外観を呈するように、円板状の本体部２ａの周囲に花びらを擬して複数（図では７つ）の半円状張出部２ｂが形成されている。そして、本体部２ａには、係止孔５の周囲が外面側で凹陥することによって環状の薄肉部２１が形成され、この薄肉部２１に係止孔５の径方向に沿う２本の切り込み６が設けられると共に、薄肉部２１を取り囲むように一対の円弧状のリブ２２が外面側に形成され、更に外面側の周縁に環状のリブ２３が形成されている。なお、この挟持片１の内面側は平坦になっている。
【００２２】
しかして、挟持片２の係止孔５は挟持片１の係止突起４の先端爪部４ａが自然状態では通過不能な大きさの円形をなすが、その周囲の薄肉部２１は該先端爪部４ａが入り込み得る外径に設定されると共に、切り込み６，６を結ぶ径方向が該先端爪部４ａの張出方向に対して直交する向きになるように設定されている。
【００２３】
上記構成の止着具Ｓは、図３（イ）（ロ）に示すように、被クリーニング品Ｃのボタン穴、襟吊り、ベルト通し等の被止着穴Ｈに通した帯状の耐洗紙からなるクリーニングタッグＴの二つ折りにした重ね合わせ部Ｔａを、曲げ部３で折り曲げて向かい合わせた両挟持片１，２で表裏から挟み付け、これら両挟持片１，２を圧着する形で止着する。なお、クリーニングタッグＴには、予め、店名、タッグ番号及びこれらを機械読み取りするバーコード等の識別表示Ａが印刷されると共に、一端部と中間位置に止着用の小孔Ｐ（図４参照）が開けてあり、重ね合わせ部Ｔａで両小孔Ｐを合致させて止着位置を一定にするようにしてある。
【００２４】
このようにクリーニングタッグＴの重ね合わせ部Ｔａを止着具Ｓで止着すれば、図４（イ）（ロ）に示すように、挟持片１の係止突起４が該重ね合わせ部Ｔａの小孔Ｐ，Ｐを貫通し、その先端爪部４ａが挟持片２の係止孔５に挿嵌して当該係止孔５の周縁で係止されるから、激しいクリーニング中でも両挟持片１，２間からクリーニングタッグＴがすり抜ける懸念は皆無となる。また、止着具Ｓは、係止突起４と係止孔５との係合に加え、クリーニングタッグＴに対して略円板状をなす両挟持片１，２が互いの中央部で係着した形で、クリーニング液中における流体抵抗が小さく、且つ形態的に被クリーニング品Ｃの布地等による引っ掛かりを生じにくいことから、クリーニング中に両挟持片１，２が開いて係止突起と係止孔との係合が外れる恐れもない。従って、この止着具Ｓによれば、クリーニングタッグＴが被クリーニング品Ｃから外れることがなく、当該クリーニングタッグＴによる顧客の識別に高い信頼性が得られる。
【００２５】
また、この止着具Ｓでは、中間の曲げ部３で折り曲げた両挟持片１，２間にクリーニングタッグＴを挟み、両挟持片１，２を圧着するだけで、係止突起４が該クリーニングタッグＴを貫通して係止孔５に挿嵌係止されるから、該クリーニングタッグＴの止着操作を極めて簡単に行える。このとき、係止孔５は自然状態では係止突起４の先端爪部４ａが通過不能な大きさであるが、該係止孔５の周囲に薄肉部２１を設け、更に該薄肉部２１に径方向に沿う２本の切り込み６を形成しているから、両切り込み６の開きによって該係止突起４の先端爪部４ａを係止孔５へ容易に挿嵌できる。
【００２６】
そして、該係止突起４の先端爪部４ａが係止孔５を突き抜けたのちは切り込み６の開きが戻るから、該先端爪部４ａは両側へ張り出した部分が係止孔５の周縁に係合して当該係止孔５から離脱不能となる。しかも、クリーニングタッグＴの小孔Ｐの縁部が係止突起４と係止孔５との間に咬み込むと共に、２本の切り込み６は該先端爪部４ａの張出方向に対して略直交する径方向に沿うことから、該先端爪部４ａが係止孔５からより離脱しにくくなる。また、挟持片２の両切り込み６によって区画された両側部分が各々円弧状のリブ２２で補強されることにより、これら両側部分が係止突起４の係止孔５に対する挿嵌に際して各々一体的に撓み変形するから、切り込み６以外の領域で薄肉部２１が破裂して係止力低下を生じる懸念もない。
【００２７】
更に、この止着具Ｓは合成樹脂製で金属のように堅くないことに加え、両挟持片１，２が略円板状をなして被クリーニング品Ｃの引っ掛かりを生じにくい上、挟持片２の外面側周縁部に沿う円環状のリブ２３により、係止孔５から突出した係止突起４に対する被クリーニング品の接触が阻まれ、もって該係止突起４への布地等の引っ掛かりも防止されるから、クリーニング中に該止着具Ｓが接触して布地を傷めることは殆どない。なお、円環状のリブ２３は挟持片２の強度を高める機能もある。また、止着具Ｓは、合成樹脂の一体成形物であることから、安価に量産できる上、両挟持片１，２を繋ぐ部分が薄肉で細い曲げ部３になっているから、所謂ヒンジとして折り付ける形態のように折り付け部分で亀裂破断する恐れもない。
【００２８】
なお、この止着具Ｓにおける両挟持片１，２の径はクリーニングタッグＴの幅の０．７〜１．５倍程度に設定するのがよい。すなわち、両挟持片１，２の径をクリーニングタッグＴの幅の１．５倍以下とすることにより、止着状態でクリーニングタッグＴの両側へはみ出す部分がゼロあるいは少なくなるから、被クリーニング品Ｃの布地に対し、止着具がＧ引っ掛かる可能性が殆どないばかりか、接触機会も著しく少なくなり、もって止着具Ｇに起因した布地の痛みがより確実に防止されると共に、止着具Ｓの被クリーニング品Ｃとの引っ掛かりに起因したクリーニングタッグＴからの抜落も完全に防止される。また、両挟持片１，２の径がクリーニングタッグＴの幅の０．７倍以上であることより、当該止着具Ｓとしての強度を充分に確保できる。
【００２９】
上記実施形態の止着具Ｓでは花状の外観を呈するように挟持片２の周囲に花びらを擬した半円状張出部２ｂを設けて装飾効果を得ているが、両挟持片１，２共に単純な円形としたり、両挟持片１，２の一方又は両方について、円形を基調として他の装飾効果が得られる凹凸や模様等を付加してもよい。また、挟持片２の薄肉部２１に３本以上の切り込みを設けたり、係止突起４の少なくとも先端側に割り溝を設けてもよい。
【００３０】
一方、クリーニングタッグＴについては、上記実施形態では止着具Ｓで止着する際に重ね合わせ部Ｔａの止着位置にある小孔Ｐより係止突起４を貫通させるものとして説明したが、このような小孔Ｐを設けていないものも使用可能である。ただし、耐洗紙は強靱であって突き破りに大きな力を要するから、実施形態のように予め止着部分に小孔Ｐを設けておくことが望ましい。このようなクリーニングタッグＴの小孔Ｐは、係止突起４が挿通する大きさでもよいが、係止突起４よりも小さくして該係止突起４の突入で裂け拡がるようにすれば、裂けた孔縁部が係止突起４と係止孔５との嵌合部に噛み込む形になり、もって係止突起４と係止孔５とが強く係着してより離脱しにくくなるという利点がある。
【００３１】
更に、止着具ＳのクリーニングタッグＴへの止着操作を、専用の治具を介して行ったり、機械で自動的に行うようにしてもよい。
【図面の簡単な説明】
【００３２】
【図１】本発明の一実施形態に係るクリーニングタッグの止着具を示し、（イ）は外面側から見た平面図、（ロ）は内面側から見た平面図である。
【図２】同止着具の断面を示し、（イ）は図１（イ）におけるＡ−Ａ線の断面矢視図、（ロ）は同Ｂ−Ｂ線の断面矢視図である。
【図３】同止着具によってクリーニング品にクリーニングタッグを取り付けた状態を示し、（イ）は概略正面図、（ロ）は取付け部分の斜視図である。
【図４】同止着具によるクリーニングタッグの止着部分を示し、（イ）はの縦断正面図、（ロ）は縦断側面図である。
【図５】ホッチキスの針でクリーニング品にクリーニングタッグを取り付けた従来例を示し、（イ）は概略正面図、（ロ）は取り付け部分の斜視図である。
【符号の説明】
【００３３】
１，２    挟持片
３        曲げ部
４        係止突起
４ａ      先端爪部
５        係止孔
６        切り込み
２１      薄肉部
２２      円弧状のリブ
２３      円環状のリブ
Ｃ        クリーニング品
Ｔ        クリーニングタッグ
Ｔａ      重ね合わせ部
Ｓ        止着具
【図１】
2006230798.tif 000003
【図２】
2006230798.tif 000004
【図３】
2006230798.tif 000005
【図４】
2006230798.tif 000006
【図５】
2006230798.tif 000007